(57)【特許請求の範囲】
【請求項１】
断面が複数の領域で構成されると共に各領域の境界が絶縁層で構成され、且つ導線表面が前記各領域の境界を構成する絶縁層よりも厚肉の絶縁層で構成される導線をコイルとして用いてなるモータであって、前記導線は、断面を構成する各領域が線方向に撚られた状態になされてあると共に、断面を構成する複数の領域が、中央部の断面形状が六角形で、その各辺と接する周囲の断面形状が六角形以外の多角形で構成されていることを特徴とするモータ。
【請求項２】
断面が複数の領域で構成されると共に各領域の境界が絶縁層で構成され、且つ導線表面が前記各領域の境界を構成する絶縁層よりも厚肉の絶縁層で構成される導線をコイルとして用いてなるリアクトルであって、前記導線は、断面を構成する各領域が線方向に撚られた状態になされてあると共に、断面を構成する複数の領域が、中央部の断面形状が六角形で、その各辺と接する周囲の断面形状が六角形以外の多角形で構成されていることを特徴とするリアクトル。
【請求項３】
請求項１又は２に記載の導線の製造方法であって、表面が絶縁被覆された複数の素線を線方向に撚って撚線とする撚線工程と、前記撚線工程により撚られた複数の素線の断面形状が、中央部が六角形で、その各辺と接する周囲が六角形以外の多角形で構成される断面形状となるように、撚線の断面を圧縮成形する圧縮成形工程と、導線表面を構成する絶縁層の厚みが素線表面を構成する絶縁層の厚みよりも厚肉なものとなるように、前記圧縮成形工程により圧縮成形された撚線の撚線表面を絶縁被覆する絶縁被覆工程とを有することを特徴とする導線の製造方法。
【請求項４】
圧縮成形工程における圧縮成形は撚線の断面を矩形若しくは多角形に圧縮成形することを特徴とする請求項３に記載の導線の製造方法。
【発明の詳細な説明】
【技術分野】
【０００１】
本発明は、導線をコイルとして用いてなるモータ、導線をコイルとして用いてなるリアクトル、前記導線の製造方法に関する。
【背景技術】
【０００２】
複数の素線を一体化させてなる導線及び該導線をモータのコイル用とするものとしては、下記特許文献１がある。下記特許文献１は集合導体に関する発明で、複数の導体線を無撚り状態で一体化するようにした技術が開示されている。
【特許文献１】特開２００７−２２７２４１号公報
【発明の開示】
【発明が解決しようとする課題】
【０００３】
上記特許文献１に示す発明では、渦電流の発生を抑制すると共に、集合導体における導体占積率を向上させることができるメリットがある。
しかし、導体線を無撚り状態で束ねた構成であることから、一体化させた導体線のばらけを防止する為に結着材を用いる必要があり、製造コストが大きく、製造効率が悪いという問題があった。
【０００４】
そこで本発明は上記従来における問題点を解決し、渦電流による損失を低減でき、放熱性、占積率を向上させることができると共に、製造コストの省コスト化、製造の効率化を実現することができる導線を用いてなるモータ及びリアクトル、前記導線の製造方法の提供を課題とする。
【課題を解決するための手段】
【０００５】
本発明のモータは、断面が複数の領域で構成されると共に各領域の境界が絶縁層で構成され、且つ導線表面が前記各領域の境界を構成する絶縁層よりも厚肉の絶縁層で構成される導線をコイルとして用いてなるモータであって、前記導線は、断面を構成する各領域が線方向に撚られた状態になされてあると共に、断面を構成する複数の領域が、中央部の断面形状が六角形で、その各辺と接する周囲の断面形状が六角形以外の多角形で構成されていることを第１の特徴としている。
【０００６】
上記本発明の第１の特徴によれば、断面が複数の領域で構成されると共に各領域の境界が絶縁層で構成されてあるので、断面を構成する複数の領域間を絶縁することができる。断面が複数の絶縁領域で分割されることで、断面に生じる渦電流を分割でき、導線の断面に過大な渦電流が生じることを防止することができる。従って渦電流による損失を低減できる。更に導線表面が前記各領域の境界を構成する絶縁層よりも厚肉の絶縁層で構成されてあるので、導線の占積率を向上させることができる。
【０００７】
よって、このような導線をコイルとして用いることで、渦電流による損失を低減できると共に、占積率を向上させることのできるモータとすることができる。
【０００８】
また、導線の断面を構成する各領域が線方向に撚られた状態になされてあるので、断面を構成する各領域が線方向に撚られることで各領域が一体化されると共に、ばらけを防止することができる。よって結着材を用いることなく各領域を一体化させることができる。
【０００９】
また、本発明のリアクトルは、断面が複数の領域で構成されると共に各領域の境界が絶縁層で構成され、且つ導線表面が前記各領域の境界を構成する絶縁層よりも厚肉の絶縁層で構成される導線をコイルとして用いてなるリアクトルであって、前記導線は、断面を構成する各領域が線方向に撚られた状態になされてあると共に、断面を構成する複数の領域が、中央部の断面形状が六角形で、その各辺と接する周囲の断面形状が六角形以外の多角形で構成されていることを第２の特徴としている。
【００１０】
上記本発明の第２の特徴によれば、断面が複数の領域で構成されると共に各領域の境界が絶縁層で構成されてあるので、断面を構成する複数の領域間を絶縁することができる。断面が複数の絶縁領域で分割されることで、断面に生じる渦電流を分割でき、導線の断面に過大な渦電流が生じることを防止することができる。従って渦電流による損失を低減できる。更に導線表面が前記各領域の境界を構成する絶縁層よりも厚肉の絶縁層で構成されてあるので、導線の占積率を向上させることができる。
【００１１】
よって、このような導線をコイルとして用いることで、渦電流による損失を低減できると共に、占積率を向上させることのできるリアクトルとすることができる。
【００１２】
また、導線の断面を構成する各領域が線方向に撚られた状態になされてあるので、断面を構成する各領域が線方向に撚られることで各領域が一体化されると共に、ばらけを防止することができる。よって結着材を用いることなく各領域を一体化させることができる。
【００１３】
また本発明の導線の製造方法は、請求項１又は２に記載の導線の製造方法であって、表面が絶縁被覆された複数の素線を線方向に撚って撚線とする撚線工程と、前記撚線工程により撚られた複数の素線の断面形状が、中央部が六角形で、その各辺と接する周囲が六角形以外の多角形で構成される断面形状となるように、撚線の断面を圧縮成形する圧縮成形工程と、導線表面を構成する絶縁層の厚みが素線表面を構成する絶縁層の厚みよりも厚肉なものとなるように、前記圧縮成形工程により圧縮成形された撚線の撚線表面を絶縁被覆する絶縁被覆工程とを有することを第３の特徴としている。
【００１４】
上記本発明の第３の特徴によれば、表面が絶縁被覆された複数の素線を線方向に撚って撚線とする撚線工程を有する構成としてあることから、複数の素線を効果的に撚線とすることができる。また撚線工程により撚られた複数の素線の断面形状が、中央部が六角形で、その各辺と接する周囲が六角形以外の多角形で構成される断面形状となるように、撚線の断面を圧縮成形する圧縮成形工程を有する構成としてあることから、撚線の断面を、中央部が六角形で、その各辺と接する周囲が六角形以外の多角形で構成される断面形状に効果的に圧縮成形することができる。また導線表面を構成する絶縁層の厚みが素線表面を構成する絶縁層の厚みよりも厚肉なものとなるように、圧縮成形工程により圧縮成形された撚線の撚線表面を絶縁被覆する絶縁被覆工程を有する構成としてあることから、圧縮成形された撚線の撚線表面を、素線表面を構成する絶縁層の厚みよりも厚肉なものとなるように効果的に絶縁被覆することができる。
【００１５】
また、絶縁被覆工程において、導線表面を構成する絶縁層の厚みを素線表面を構成する絶縁層の厚みよりも厚肉なものとすることで、線間電圧に耐えうる導線とすることができる。
【００１６】
また本発明の導線の製造方法は、上記本発明の第３の特徴に加えて、圧縮成形工程における圧縮成形は撚線の断面を矩形若しくは多角形に圧縮成形することを第４の特徴としている。
【００１７】
上記本発明の第４の特徴によれば、上記第３の特徴による作用効果に加えて、圧縮成形工程における圧縮成形は撚線の断面を矩形若しくは多角形に圧縮成形する構成としてあることから、導線をコイルに使用した場合に、隣接する導線を面接触させることができる。
【００１８】
よって隣接する導線間に空隙を生じさせることがなく、コイルの放熱性、占積率を向上させることができる。
【発明の効果】
【００１９】
本発明のモータ及びリアクトルによれば、渦電流による損失を低減できると共に、占積率を向上させることのできるモータ及びリアクトルとすることができる。
また、渦電流による損失を低減でき、放熱性、占積率を向上させることができると共に、製造コストの省コスト化、製造の効率化を実現することができる導線の製造方法とすることができる。
【発明を実施するための最良の形態】
【００２０】
以下の図面を参照して、本発明の実施の形態に係る導線及び導線の製造方法、導線をコイルとして用いたモータ及びリアクトルを説明し、本発明の理解に供する。しかし以下の説明は本発明の実施形態であって、特許請求の範囲に記載の内容を限定するものではない。
【００２１】
図１は本発明の実施形態に係る導線の斜視図である。図２は図１の導線の断面図である。図３は導線を構成する撚線を示す図である。図４は成形型内に撚線を配置して加工する状態を説明する図である。図５は図４の変形例を示す図である。図６は導線をコイルとして用いたモータのステータを示す図である。図７は図６の変形例を示す図である。図８は導線をコイルとして用いたリアクトルを示す図である。
【００２２】
先ず図１を参照して、本発明の第１の実施形態に係る導線１は、絶縁層１２で被覆された複数の素線１１を撚り線１０とし、その断面を所定形状に圧縮成形させた後、表面を絶縁被覆してなり、撚線１０と、絶縁層２０とで構成されている。
【００２３】
前記撚線１０は、図１〜図３に示すように、絶縁層１２で被覆された素線１１を複数本撚り、その状態で成形型を用いて圧縮成形したものである。このように素線１１を複数本撚って撚線１０を成形することで、素線１１により撚線１０の断面が複数の領域で構成されると共に、各領域の境界が絶縁層１２で構成された撚線１０とすることができる。また結着材を用いることなく複数本の素線１１を一体化させることができる。よって製造コストを抑え、製造効率のよい導線１とすることができる。
圧縮成形は撚線１０の断面を所定形状に圧縮成形できるものであれば、如何なる方法を用いてもよい。例えば図４に示すように、四角形のダイス孔３１を有する成形型３０を用いるダイス引き等の引き抜き加工とすることができる。このように引き抜き加工とすることで、撚線１０の断面形状が如何なるものであっても、ダイス孔３１に撚線１０を通過させることで、撚線１０の断面をダイス孔３１の形状に容易に圧縮成形させることができる。よって製造工程を簡略化でき、製造効率のよい導線１とすることができる。
【００２４】
また図５に示すように、孔３２とローラ３３とを用いる孔型圧延とすることができる。このように孔型圧延とすることで、撚線１０の断面形状が如何なるものであっても、孔３２に撚線１０を通過させることで、撚線１０の断面を孔３２の形状に容易に圧縮成形させることができる。よって製造工程を簡略化でき、製造効率のよい導線１とすることができる。また撚線１０を構成する素線１１を擦ることがない為、絶縁状態を維持することが可能となる。また巻き線の組成変形、導体の占積率を向上させることができる。
なお圧縮成形後の撚線１０の断面形状は、矩形若しくは多角形とすることが望ましい。このように撚線１０の断面形状を矩形若しくは多角形とすることで、導線１をコイルとして用いた場合に隣接する導線１を面接触させることができる。よって隣接する導線１間に空隙を生じさせることがなく、コイルの放熱性、占積率を向上させることができる。
以上のように撚線１０を圧縮成形し、その後、表面を絶縁層２０で被覆することで導線１が成形される。
【００２５】
前記素線１１としては、例えば銅、アルミ、銀、金、これらの合金等を用いることができる。また撚線１０を構成する素線１１の本数は適宜変更可能である。また圧縮成形後における撚線１０を構成する素線１１の断面形状が、中央部が六角形で、その各辺と接する周囲の断面形状が六角形以外の多角形であれば、素線１１の導径も適宜変更可能である。
【００２６】
前記絶縁層１２は、素線１１の表面を被覆する絶縁層である。絶縁層１２に用いる絶縁材としては、通常用いられるものであれば如何なるものであってもよいが、加工負担、コイル渦電流に対する抑制力を考慮すれば、酸化銅等の導体酸化膜、ニクロムやコンスタンタン等の高抵抗金属、エナメル材を用いることが望ましい。特に酸化銅は、容易に絶縁膜を形成することができるので望ましい。このように酸化銅を用いることで、製造効率のよい導線１とすることができる。
また絶縁層１２の厚さは、断面に生じる渦電流を分割できる厚さであれば如何なる厚さでもよいが、素線１１間の熱伝導の劣化や、占積率の低下を考慮すれば、０．０１ｍｍ以下とすることが望ましい。
【００２７】
前記絶縁層２０は、圧縮成形された撚線１０の表面を被覆する絶縁層である。この絶縁層２０は、図１、図２に示すように、導線１を構成する素線１１を被覆する絶縁層１２の厚みよりも厚肉に被覆される。このような構成とすることで、線間電圧に耐えうる導線１とすることができる。また導線１を外傷から保護することができると共に、耐熱性のある導線１とすることができる。また導線１をコイルに使用した場合には、渦電流による損失を低減でき、放熱性、占積率を向上させることができると共に、製造コスト抑え、製造効率のよい導線１とすることができる。
絶縁層２０に用いる絶縁材としては、ポリイミド樹脂、アミドイミド樹脂等の樹脂やエナメル材等、通常用いられるものであれば如何なるものであってもよい。また撚線１０への被覆方法も浸漬、電着塗装、酸化膜、メッキ等、絶縁被覆方法として通常用いられるものであれば如何なるものであってもよい。
【００２８】
次に図６を参照して、本発明の第２の実施形態に係るモータのステータ５０について説明する。
ステータ５０は、ラジアルモータのステータであり、導線１をコイル４０として用いたものである。このように導線１をコイル４０としてステータ５０に用いる構成とすることで、渦電流による損失を低減できると共に、占積率を向上させることのできるラジアルモータとすることができる。
【００２９】
次に図７を参照して、ステータ５０の変形例であるステータ６０について説明する。
ステータ６０は、アキシャルモータのステータであり、導線１をコイル４０として用いたものである。このように導線１をコイル４０としてステータ６０に用いる構成とすることで、渦電流による損失を低減できると共に、占積率を向上させることのできるアキシャルモータとすることができる。
なお導線１をコイル４０として用いるモータとしては、ラジアルモータ、アキシャルモータに限るものではなく、如何なるモータであってもよい。
【００３０】
次に図８を参照して、本発明の第３の実施形態に係るリアクトル７０について説明する。
リアクトル７０は、導線１をコイル４０として用いたものである。このように導線１をコイル４０としてリアクトル７０に用いる構成とすることで、渦電流による損失を低減できると共に、占積率を向上させることのできるリアクトルとすることができる。
【産業上の利用可能性】
【００３１】
本発明は導線として、各種電線、各種コイル、ハイブリッド自動車用モータ等のコイル等に利用することができる。
【図面の簡単な説明】
【００３２】
【図１】本発明の実施形態に係る導線の斜視図である。
【図２】図１の断面図である。
【図３】導線を構成する撚線を示す図である。
【図４】成形型内に撚線を配置して加工する状態を説明する図である。
【図５】図４の変形例を示す図である。
【図６】導線をコイルとして用いたモータの分割ステータを示す図である。
【図７】図６の変形例を示す図である。
【図８】導線をコイルとして用いたリアクトルを示す図である。
【符号の説明】
【００３３】
１      導線
１０    撚線
１１    素線
１２    絶縁層
２０    絶縁層
３０    成形型
３１    ダイス孔
３２    孔
３３    ローラ
４０    コイル
５０    ステータ
６０    ステータ
７０    リアクトル
【図１】
0005309595.tif 000002
【図２】
0005309595.tif 000003
【図３】
0005309595.tif 000004
【図４】
0005309595.tif 000005
【図５】
0005309595.tif 000006
【図６】
0005309595.tif 000007
【図７】
0005309595.tif 000008
【図８】
0005309595.tif 000009